(57)【要約】【課題】生体情報の正しいトレンドを得るために生体情報の測定を継続するモチベーションを保たせること。【解決手段】生体情報測定装置によって、生体情報を算出するための測定値が測定され（Ｓ４０）、測定された測定値に基づいて、測定者の体重または体組成の少なくともいずれかの生体情報が算出され（Ｓ４０）、算出された生体情報と、当該生体情報が算出された測定日とが対応付けられて記憶され（Ｓ４０）、所定期間に含まれる日のうちの、記憶された測定日の頻度を特定可能な測定頻度特定情報が表示される（Ｓ２１，Ｓ２５）。また、測定値が測定される所定時刻を含む測定時間帯に現在時刻が含まれることが測定者に報知される（Ｓ７０）。【選択図】図６
2008125729.tif 000002
【特許請求の範囲】
【請求項１】
生体情報を算出するための測定値を測定する測定手段と、
前記測定手段によって測定された測定値に基づいて、測定者の生体情報を算出する生体情報算出手段と、
前記生体情報算出手段によって算出された前記生体情報と、当該生体情報が算出された測定日とを対応付けて記憶する生体情報記憶手段と、
所定期間に含まれる日のうちの前記生体情報記憶手段に記憶された前記測定日の頻度を特定可能な測定頻度特定情報を表示する測定頻度表示手段とを備える、生体情報測定装置。
【請求項２】
前記生体情報は、体重または体組成に関する情報の少なくともいずれかである、請求項１に記載の生体情報測定装置。
【請求項３】
前記生体情報記憶手段は、前記生体情報と前記測定日とに対応付けて、さらに、当該生体情報の測定時刻を記憶し、
前記生体情報記憶手段に記憶された前記測定時刻に基づいて次回の測定予定時刻を算出する測定予定時刻算出手段と、
前記測定予定時刻算出手段によって算出された前記測定予定時刻を含む所定の時間帯に現在時刻が含まれることを報知する測定時間報知手段とをさらに備える、請求項１または請求項２に記載の生体情報測定装置。
【請求項４】
前記所定の時間帯は、前記測定予定時刻算出手段によって算出された前記測定予定時刻をＸ時Ｙ分とした場合、Ｘ時０分から始まる時間帯である、請求項３に記載の生体情報測定装置。
【請求項５】
前記測定時間報知手段は、発光体または表示の点滅で、前記現在時刻が前記所定の時間帯に含まれることを報知し、前記測定予定時刻算出手段によって算出された前記測定予定時刻からの時間に応じて点滅間隔を変化させる、請求項３に記載の生体情報測定装置。
【請求項６】
前記測定時間報知手段は、複数の前記測定者のそれぞれに対応する発光体の色または表示の色で、前記現在時刻が当該測定者の前記所定の時間帯に含まれることを報知する、請求項３に記載の生体情報測定装置。
【請求項７】
前記測定頻度表示手段は、前記所定期間に含まれる日数分並べられた複数の図形のうち、前記所定期間に含まれる前記測定日の日数分の図形を前記測定日を示す表示態様で表示し、前記所定期間に含まれる前記測定日以外の非測定日の日数分の図形を前記非測定日を示す表示態様で表示することによって、当該図形を前記測定頻度特定情報として表示する、請求項１から請求項６までのいずれかに記載の生体情報測定装置。
【請求項８】
前記測定頻度表示手段は、前記所定期間に含まれる日数分、日の順番に並べられた複数の図形を、前記測定日と前記測定日以外の非測定日とを識別可能な表示態様で表示することによって、当該図形を前記測定頻度特定情報として表示する、請求項１から請求項６までのいずれかに記載の生体情報測定装置。
【請求項９】
前記所定期間は、１週間であり、
前記測定頻度表示手段は、前記所定期間に含まれる７日分の曜日の順番に並べられたそれぞれの曜日に対応する図形を、前記測定日と前記測定日以外の非測定日とを識別可能な表示態様で表示することによって、当該図形を前記測定頻度特定情報として表示する、請求項１から請求項６までのいずれかに記載の生体情報測定装置。
【請求項１０】
前記所定期間は、１週間であり、
前記測定頻度表示手段は、前記所定期間に含まれる７日分の曜日の順番に円周上に並べられたそれぞれの曜日に対応する図形を、前記測定日と前記測定日以外の非測定日とを識別可能な表示態様で表示することによって、当該図形を前記測定頻度特定情報として液晶パネルに表示し、
前記図形が並べられた前記円周の略中心の前記液晶パネルの裏側に設置され、発光する光が前記液晶パネルを透過するように設置される発光体をさらに備え、
前記測定時間報知手段は、前記発光体を点灯または点滅させることによって、前記現在時刻が前記所定の時間帯に含まれることを報知する、請求項３に記載の生体情報測定装置。
【請求項１１】
前記発光体は、多色ＬＥＤであり、
前記測定時間報知手段は、複数の前記測定者のそれぞれに対応する発光体の色で、前記現在時刻が当該測定者の前記所定の時間帯に含まれることを報知する、請求項１０に記載の生体情報測定装置。
【請求項１２】
データを記憶する記憶部と、データを表示する表示部と、生体情報を算出するための測定値を測定する測定部と、前記表示部、前記記憶部および前記測定部を制御しデータの演算を行なう制御部とを有する生体情報測定装置によって実行される生体情報測定方法であって、
前記制御部が、前記測定部によって測定された測定値に基づいて、測定者の生体情報を算出するステップと、
前記制御部が、算出された前記生体情報と、当該生体情報が算出された測定日とを対応付けて前記記憶部に記憶させるステップと、
前記制御部が、所定期間に含まれる日のうちの前記記憶部に記憶された前記測定日の頻度を特定可能な測定頻度特定情報を前記表示部に表示させるステップとを含む、生体情報測定方法。
【発明の詳細な説明】
【技術分野】
【０００１】
本発明は、生体情報測定装置および生体情報測定方法に関し、特に、生体情報を定期的に測定するのに適した生体情報測定装置および生体情報測定方法に関する。
【背景技術】
【０００２】
インピーダンスを用いた体組成計においては、人体の水分移動量等による日内変動の影響を排除するために、日々の体組成の管理を行なう上では、毎日ほぼ同じ時間帯に測定を行なうことが必要である。
【０００３】
また、体組成の正しいトレンド情報を得るためには、毎日の測定が不可欠であるが、日々の体組成値の変動量がほとんど変わらないユーザにおいては、体組成を計測する意欲が失せ、だんだんと測定をしなくなり、継続して体組成を管理することが難しかった。
【０００４】
従来の体組成計を含む生体情報測定装置としては、以下に示すようなものがある。特許文献１には、被測定者の識別符号に対応付けて被測定者の次回の測定時間を予め設定する測定時間設定手段を備え、測定時間設定手段で設定された時間になったときに警報器を作動させるとともに、被測定者の識別符号を表示する携帯型自動血圧計が記載されている。これにより、血圧を測定し忘れるという事態を回避でき、また、血圧測定時間を記憶に留めておく等の負担を軽減することができる。
【０００５】
また、特許文献２には、予め設定された測定時刻がきた時に、音、音声、および振動の少なくともいずれか１つによりユーザに知らせる測定時刻通知手段を備えることを特徴とする生体センサ内蔵携帯電話機が記載されている。これにより、ユーザは測定時刻になったことを確実に知ることができ、血糖値という医療上必要なデータを的確な時刻に測定することができ、従来のような測定し忘れが激減することが期待できる。
【０００６】
また、特許文献３には、血圧、体脂肪の測定時刻を報知するアラーム機能を備えた携帯型健康管理装置が記載されている。これにより、毎日、決められた時間に忘れることなく測定できるようにしている。
【特許文献１】特開平５−２０７９８１号公報（第０００９段落、第００５２段落）
【特許文献２】特開２００５−７３７６３号公報（第０００９段落）
【特許文献３】特開２００６−２６２１０号公報（第００２５段落、第００７９段落）
【発明の開示】
【発明が解決しようとする課題】
【０００７】
しかし、特許文献１から特許文献３までに記載された装置によれば、警報やアラームによってユーザに測定を促がすが、実際に測定を行なったとしても行なわなかったとしても、測定時刻になれば同じように警報やアラームを動作させるのみである。このため、測定しても測定しなくても何も変化がないので、ユーザにモチベーションを保たせにくいといった問題があった。
【０００８】
この発明は上述の問題点を解決するためになされたもので、この発明の目的の１つは、測定を継続するモチベーションを保たせることが可能な生体情報測定装置および生体情報測定方法を提供することである。
【課題を解決するための手段】
【０００９】
上述の目的を達成するために、この発明のある局面によれば、生体情報測定装置は、生体情報を算出するための測定値を測定する測定部と、測定部によって測定された測定値に基づいて、測定者の生体情報を算出する生体情報算出部と、生体情報算出部によって算出された生体情報と、当該生体情報が算出された測定日とを対応付けて記憶する生体情報記憶部と、所定期間に含まれる日のうちの生体情報記憶部に記憶された測定日の頻度を特定可能な測定頻度特定情報を表示する測定頻度表示部とを備える。
【００１０】
この発明に従えば、生体情報測定装置によって、生体情報を算出するための測定値が測定され、測定された測定値に基づいて、測定者の生体情報が算出され、算出された生体情報と、当該生体情報が算出された測定日とが対応付けられて記憶され、所定期間に含まれる日のうちの、記憶された測定日の頻度を特定可能な測定頻度特定情報が表示される。
【００１１】
このため、生体情報測定装置によって、所定期間のうち生体情報が測定された測定日の頻度を測定者に知らせることができる。その結果、生体情報の正しいトレンドを得るために生体情報の測定を継続するモチベーションを保たせることが可能な生体情報測定装置を提供することができる。
【００１２】
好ましくは、生体情報は、体重または体組成に関する情報の少なくともいずれかである。
【００１３】
好ましくは、生体情報記憶部は、生体情報と測定日とに対応付けて、さらに、当該生体情報の測定時刻を記憶し、生体情報記憶部に記憶された測定時刻に基づいて次回の測定予定時刻を算出する測定予定時刻算出部と、測定予定時刻算出部によって算出された測定予定時刻を含む所定の時間帯に現在時刻が含まれることを報知する測定時間報知部とをさらに備える。
【００１４】
この発明に従えば、生体情報と当該生体情報の測定日および測定時刻とが対応付けられて記憶され、記憶された測定時刻に基づいて次回の測定予定時刻が算出され、算出された測定予定時刻を含む所定の時間帯に現在時刻が含まれることが報知される。
【００１５】
このため、生体情報測定装置によって、測定時刻に基づいて算出された次回の測定予定時刻を含む時間帯であることを測定者に知らせることができる。その結果、以前に測定した測定時刻に基づく測定予定時刻前後に測定者に生体情報の測定を促がすことができる。
【００１６】
好ましくは、所定の時間帯は、測定予定時刻算出部によって算出された測定予定時刻をＸ時Ｙ分とした場合、Ｘ時０分から始まる時間帯である。
【００１７】
この発明に従えば、Ｘ時０分から始まる時間帯に現在時刻が含まれることが測定者に報知される。
【００１８】
たとえば、所定の時間帯が測定予定時刻の前後３０分の時間帯であることとした場合、測定予定時刻が２３時４５分であれば、２３時１５分から０時１５分まで現在時刻が所定の時間帯に含まれることが報知される。このため、１日目の２３時１５分から２日目の０時１５分まで報知が行なわれ、報知に従って１日目の２３時１５分から２３時５９分までに生体情報が測定され、２日目の２３時１５分から３日目の０時１５分まで報知が行なわれ、報知に従って３日目の０時０分から０時１５分までに生体情報が測定された場合には、報知に従って生体情報が測定されたにも関わらず、２日目の分が測定されていないこととなってしまう。
【００１９】
また、測定予定時刻が０時１０分であれば、２３時４０分から０時４０分まで現在時刻が所定の時間帯に含まれることが報知される。ここで、１日目の２３時４０分から２日目の０時４０分まで報知が行なわれ、報知に従って２日目の０時０分から０時４０分までに生体情報が測定され、２日目の２３時４０分から３日目の０時４０分まで報知が行なわれ、報知に従って２日目の２３時４０分から２３時５９分までに生体情報が測定された場合には、報知に従って測定したにも関わらず、２日目に２回測定が行なわれてしまう。
【００２０】
しかし、この生体情報測定装置によれば、測定予定時刻が２３時台であれば、２３時０分から始まる時間帯に報知が行なわれ、測定予定時刻が０時台であれば、０時０分から始まる時間帯に報知が行なわれるので、日を跨って報知が行なわれないようにすることができる。このため、報知に従って測定したにも関わらず、測定されない日が生じたり、同日に２回測定されたりすることを防止することができる。
【００２１】
好ましくは、測定時間報知部は、発光体または表示の点滅で、現在時刻が所定の時間帯に含まれることを報知し、測定予定時刻算出部によって算出された測定予定時刻からの時間に応じて点滅間隔を変化させる。
【００２２】
この発明に従えば、生体情報測定装置によって、発光体または表示の点滅で、現在時刻が所定の時間帯に含まれることが報知され、測定予定時刻からの時間に応じて点滅間隔が変化される。
【００２３】
このため、生体情報測定装置によって、測定者に分かり易く生体情報の測定を促がすことができる。また、測定予定時刻からの時間を測定者に知らせることができる。
【００２４】
好ましくは、測定時間報知部は、複数の測定者のそれぞれに対応する発光体の色または表示の色で、現在時刻が当該測定者の所定の時間帯に含まれることを報知する。
【００２５】
この発明に従えば、生体情報測定装置によって、複数の測定者のそれぞれに対応する発光体の色または表示の色で、現在時刻が当該測定者の所定の時間帯に含まれることが報知される。
【００２６】
このため、生体情報測定装置によって、どの測定者の所定の時間帯に現在時刻が含まれるかを測定者に知らせることができる。その結果、測定すべき測定者に生体情報の測定を促がすことができる。
【００２７】
好ましくは、測定頻度表示部は、所定期間に含まれる日数分並べられた複数の図形のうち、所定期間に含まれる測定日の日数分の図形を測定日を示す表示態様で表示し、所定期間に含まれる測定日以外の非測定日の日数分の図形を非測定日を示す表示態様で表示することによって、当該図形を測定頻度特定情報として表示する。
【００２８】
この発明に従えば、所定期間に含まれる日数分並べられた複数の図形のうち、所定期間に含まれる測定日の日数分の図形が測定日を示す表示態様で表示され、所定期間に含まれる測定日以外の非測定日の日数分の図形が非測定日を示す表示態様で表示されることによって、当該図形が測定頻度特定情報として表示される。
【００２９】
このため、生体情報測定装置によって、所定期間のうちの測定日および非測定日それぞれの日数を測定者に分かり易く知らせることができる。その結果、生体情報の測定を継続するモチベーションを向上させることができる。
【００３０】
好ましくは、測定頻度表示部は、所定期間に含まれる日数分、日の順番に並べられた複数の図形を、測定日と測定日以外の非測定日とを識別可能な表示態様で表示することによって、当該図形を測定頻度特定情報として表示する。
【００３１】
この発明に従えば、所定期間に含まれる日数分、日の順番に並べられた複数の図形が、測定日と測定日以外の非測定日とを識別可能な表示態様で表示されることによって、当該図形が測定頻度特定情報として表示される。
【００３２】
このため、生体情報測定装置によって、所定期間のうちのいずれの日が測定日でいずれの日が非測定日であるかを測定者に分かり易く知らせることができる。その結果、生体情報の測定を継続するモチベーションを向上させることができる。
【００３３】
好ましくは、所定期間は、１週間であり、測定頻度表示部は、所定期間に含まれる７日分の曜日の順番に並べられたそれぞれの曜日に対応する図形を、測定日と測定日以外の非測定日とを識別可能な表示態様で表示することによって、当該図形を測定頻度特定情報として表示する。
【００３４】
この発明に従えば、１週間に含まれる７日分の曜日の順番に並べられたそれぞれの曜日に対応する図形が、測定日と測定日以外の非測定日とを識別可能な表示態様で表示されることによって、当該図形が測定頻度特定情報として表示される。
【００３５】
このため、生体情報測定装置によって、１週間のうちのいずれの曜日が測定日でいずれの曜日が非測定日であるかを測定者に分かり易く知らせることができる。その結果、生体情報の測定を継続するモチベーションを向上させることができる。
【００３６】
好ましくは、所定期間は、１週間であり、測定頻度表示部は、所定期間に含まれる７日分の曜日の順番に円周上に並べられたそれぞれの曜日に対応する図形を、測定日と測定日以外の非測定日とを識別可能な表示態様で表示することによって、当該図形を測定頻度特定情報として液晶パネルに表示し、図形が並べられた円周の略中心の液晶パネルの裏側に設置され、発光する光が液晶パネルを透過するように設置される発光体をさらに備え、測定時間報知部は、発光体を点灯または点滅させることによって、現在時刻が所定の時間帯に含まれることを報知する。
【００３７】
この発明に従えば、１週間に含まれる７日分の曜日の順番に円周上に並べられたそれぞれの曜日に対応する図形が、測定日と測定日以外の非測定日とを識別可能な表示態様で表示されることによって、当該図形が測定頻度特定情報として液晶パネルに表示され、図形が並べられた円周の略中心の液晶パネルの裏側に設置された発光体であって当該発光体が発光する光が液晶パネルを透過するように設置された発光体が点灯または点滅されることによって、現在時刻が所定の時間帯に含まれることが報知される。
【００３８】
このため、生体情報測定装置によって、１週間のうちのいずれの曜日が測定日でいずれの曜日が非測定日であるかを測定者に分かり易く知らせることができる。また、生体情報測定装置によって、測定者に分かり易く生体情報の測定を促がすことができる。その結果、生体情報の測定を継続するモチベーションをさらに向上させることができる。
【００３９】
好ましくは、発光体は、多色ＬＥＤであり、測定時間報知部は、複数の測定者のそれぞれに対応する発光体の色で、現在時刻が当該測定者の所定の時間帯に含まれることを報知する。
【００４０】
この発明に従えば、生体情報測定装置によって、複数の測定者のそれぞれに対応する多色ＬＥＤの色で、現在時刻が当該測定者の所定の時間帯に含まれることが報知される。
【００４１】
このため、生体情報測定装置によって、どの測定者の所定の時間帯に現在時刻が含まれるかを測定者に知らせることができる。その結果、測定すべき測定者に生体情報の測定を促がすことができる。
【００４２】
この発明の他の局面によれば、生体情報測定方法は、データを記憶する記憶部と、データを表示する表示部と、生体情報を算出するための測定値を測定する測定部と、表示部、記憶部および測定部を制御しデータの演算を行なう制御部とを有する生体情報測定装置によって実行される。
【００４３】
生体情報測定方法は、制御部が、測定部によって測定された測定値に基づいて、測定者の生体情報を算出するステップと、制御部が、算出された生体情報と、当該生体情報が算出された測定日とを対応付けて記憶部に記憶させるステップと、制御部が、所定期間に含まれる日のうちの記憶部に記憶された測定日の頻度を特定可能な測定頻度特定情報を表示部に表示させるステップとを含む。
【００４４】
この発明に従えば、生体情報の正しいトレンドを得るために生体情報の測定を継続するモチベーションを保たせることが可能な生体情報測定方法を提供することができる。
【発明を実施するための最良の形態】
【００４５】
以下、この発明の実施の形態について、図面を参照しながら詳細に説明する。なお、図中の同一または相当部分については、同一符号を付してその説明は繰り返さない。
【００４６】
図１は、本発明の実施の形態における体重体組成計１０を示す外観図である。図１を参照して、体重体組成計１０は、表示部１３と、ＯＮスイッチ１４１と、ＯＦＦスイッチ１４２と、メモリスイッチ１４３と、ゲストスイッチ１４４と、電流印加用電極１５Ａ，Ｂと、電圧測定用電極１５Ｃ，Ｄとを備える。
【００４７】
また、体重体組成計１０は、後述する図４で説明するように、内部に、体重計測部１５１やマイコン１１０や各種回路や電源部１７０などを備える。
【００４８】
電流印加用電極１５Ａ，Ｂは、測定者が体重体組成計１０に載ったときに、それぞれ、左足および右足の裏面の爪先側が接するように、体重体組成形１０の上面に配置される。電圧測定用電極１５Ｃ，Ｄは、測定者が体重体組成計１０に載ったときに、それぞれ、左足および右足の裏面の踵側が接するように、体重体組成計１０の上面に配置される。
【００４９】
なお、電流印加用電極１５Ａ，Ｂが、踵側に配置されて、電圧測定用電極１５Ｃ，Ｄが、爪先側に配置されるようにしてもよい。
【００５０】
表示部１３は、電流印加用電極１５Ａ，Ｂの間の、体重体組成計１０の上面に配置される。これにより、体重体組成計１０に載る前であっても、体重体組成計１０に載っているときであっても、測定者に対して視認性がよくなる。
【００５１】
ＯＮスイッチ１４１は、電圧測定用電極１５Ｃ，Ｄの間の、体重体組成計１０の上面に配置される。これにより、ＯＮスイッチ１４１の操作性がよくなる。なお、測定者が体重体組成計１０に載っているときには、ＯＮスイッチ１４１の操作は無効とされる。このため、測定中の誤操作を防止することができる。
【００５２】
ＯＦＦスイッチ１４２、メモリスイッチ１４３およびゲストスイッチ１４４は、ＯＮスイッチ１４１が配置されている側の、体重体組成計１０の側面に配置される。これにより、測定中の誤操作を防止することができる。
【００５３】
図２は、本実施の形態における体重体組成計１０を用いて、測定者２０が体組成および体重を測定する際の測定状態を示す図である。図２を参照して、体組成および体重を測定する場合、測定者２０は、左右の足の裏面の、爪先側がそれぞれ電流印加用電極１５Ａ，Ｂに接し、踵側がそれぞれ電圧測定用電極１５Ｃ，Ｄに接するように、直立姿勢で、体重体組成計１０の上面に載る。
【００５４】
図３は、本実施の形態における体重体組成計１０の表示部１３の表示パターン図である。図３を参照して、表示部１３は、セグメント型ＬＣＤ（Liquid Crystal Display）である。このため、表示部１３は、予め定められた表示パターンを表示可能である。
【００５５】
表示部１３の表示パターンの最上段には、左から、「変更」の文字、「電池に×」のピクトグラム、および、「削除」の文字の表示パターンが配置される。「変更」および「削除」は、それぞれ、登録された個人データを変更するとき、および、削除するときに表示される。「電池に×」は、電池が消耗しているときに表示される。
【００５６】
２段目には、左から、「１」、「２」、「３」、「４」、および、「ゲスト」の文字の表示パターンが配置される。「１」〜「４」は、表示部１３に表示されているデータの測定者の個人番号、および、これから測定する測定者の個人番号を示す。「ゲスト」は、ゲスト機能で体重および体組成を測定するときに表示される。
【００５７】
３段目には、「体重」、「ＢＭＩ」、「基礎代謝」、および、「体年齢」の文字の表示パターンが配置される。
【００５８】
４段目には、４桁までの数字またはアルファベットの一部を表示可能なセグメントと、その４桁のセグメントの左側に、表示中のデータの種類を示す「年」、「今日」、「生年月日」の文字および「ベル」のピクトグラムの表示パターン、その４桁のセグメント右側に、表示中のデータの単位を示す「才」、「％」、「ｋｃａｌ」および「ｋｇ」の文字の表示パターンが配置される。
【００５９】
３段目の「体重」および４段目の「ｋｇ」は、体重測定中であるとき、および、４段目のセグメントに表示されているデータが体重であるときに表示される。３段目の「ＢＭＩ」は、４段目のセグメントに表示されているデータがＢＭＩ（体格指数、Body Mass Index）であるときに表示される。３段目の「基礎代謝」および４段目の「ｋｃａｌ」は、４段目のセグメントに表示されているデータが基礎代謝であるときに表示される。
【００６０】
５段目には、「体脂肪率」、「内臓脂肪レベル」、および、「骨格筋率」の文字の表示パターンが配置される。
【００６１】
６段目には、４桁までの数字またはアルファベットの一部を表示可能なセグメントと、その４桁のセグメントの左側に、表示中のデータの種類を示す「身長」、「メモリ」、「月日」および「時分」の文字の表示パターン、その４桁のセグメント右側に、表示中のデータの単位を示す「ｃｍ」、「才」、「％」、「ｋｃａｌ」および「ｋｇ」の文字の表示パターンが配置される。
【００６２】
７段目には、「低い」、「標準」、「やや高い」および「高い」の文字および文字囲いの表示パターン、ならびに、判定レベルを示すピクトグラムの表示パターンが配置される。
【００６３】
５段目の「体脂肪率」、６段目の「％」、および、７段目の文字と文字囲いは、６段目のセグメントに表示されているデータ、および、７段目のピクトグラムに表示されている判定レベルが、体脂肪率に関するときに表示される。
【００６４】
５段目の「内臓脂肪レベル」、および、７段目の文字と文字囲いは、６段目のセグメントに表示されているデータ、および、７段目のピクトグラムに表示されている判定レベルが内臓脂肪レベルに関するときに表示される。
【００６５】
５段目の「骨格筋率」、６段目の「％」、および、７段目の文字と文字囲いは、６段目のセグメントに表示されているデータ、および、７段目のピクトグラムに表示されている判定レベルが、骨格筋率に関するときに表示される。
【００６６】
４段目の「ベル」は、後述するお知らせ機能の有効または無効が設定されるときに表示される。お知らせ機能が、有効に設定されるときは、４段目のセグメントに「ｏｎ」が表示され、無効に設定されるときは、「ｏｆｆ」が表示される。
【００６７】
４段目の「年」は、生年月日の年が設定されるとき、または、今日の年月日の年が設定されるときに表示される。このとき、４段目のセグメントに表示される年が、測定者２０による操作に応じて変更されて、年が設定される。
【００６８】
６段目の「月日」は、生年月日の月日が設定されるとき、または、今日の年月日の月日が設定されるときに表示される。このとき、６段目のセグメントに表示される月日が、測定者２０による操作に応じて変更されて、月日が設定される。
【００６９】
６段目の「時分」は、現在の時分が設定されるときに表示される。このとき、６段目のセグメントに表示される時分が、測定者２０による操作に応じて変更されて、時分が設定される。
【００７０】
４段目の「生年月日」は、生年月日が設定されるときに表示される。このとき、４段目のセグメントに表示される年、または、６段目のセグメントに表示される月日が、測定者２０による操作に応じて変更されて、生年月日が設定される。
【００７１】
６段目の「身長」および「ｃｍ」は、身長が設定されるときに表示される。このとき、６段目のセグメントに表示されるデータが、測定者２０による操作に応じて変更されて、身長が設定される。
【００７２】
８段目には、左から、「測定履歴」の文字の表示パターン、ならびに、測定頻度を示す「リングマーク１３１」のピクトグラムの表示パターン、ならびに、「体年齢」、「地域」、「男」および「女」の文字の表示パターン、ならびに、２桁までの数字またはアルファベットの一部を表示可能なセグメント、ならびに、「才」および「日前」の文字の表示パターンが配置される。８段目の「測定履歴」および「リングマーク１３１」の表示については、後述する。
【００７３】
８段目の「体年齢」および「才」は、４段目、６段目または８段目のセグメントに表示されているデータが体年齢であるときに表示される。
【００７４】
８段目の「地域」は、地域番号が設定されるときに表示される。このとき、８段目のセグメントに表示される地域番号が、測定者２０による操作に応じて変更されて、地域番号が設定される。地域番号は、体重を正確に測定するために重力加速度の影響を補正するために設定される番号であって、所定の緯度よりも北側である場合は「１」、南側である場合は「２」である。
【００７５】
８段目の「男」および「女」は、性別が設定されるときに表示される。このとき、測定者２０による操作に応じて「男」または「女」が切替えられて、性別が設定される。
【００７６】
８段目の「日前」は、６段目のセグメントに表示されているデータ、および、７段目のピクトグラムに表示されている判定レベルが、それぞれ、８段目のセグメントに表示されている数字の日前のデータおよびピクトグラムであるときに表示される。
【００７７】
図４は、本実施の形態における体重体組成計１０の構成を示すブロック図である。図４を参照して、体重体組成計１０は、前述したように、電流印加用電極１５Ａ，Ｂと、電圧測定用電極１５Ｃ，Ｄと、表示部１３とを備える。
【００７８】
また、体重体組成計１０は、マイコン（マイクロコンピュータの略）１１０と、操作部１４と、高周波定電流発生回路１５４と、入力切替回路１５２と、Ａ／Ｄ（Analog/Digital）変換回路１５３と、電源部１７０と、メモリ１２０と、計時部１６０とを備える。
【００７９】
操作部１４は、前述したＯＮスイッチ１４１と、ＯＦＦスイッチ１４２と、メモリスイッチ１４３と、ゲストスイッチ１４４とを含む。
【００８０】
マイコン１１０は、ＣＰＵ（Central Processing Unit）および内部メモリを含み、内部メモリに記憶されたプログラムに従ってＣＰＵが内部メモリをワークエリアとして、データの演算や体重体組成計１０の各部の制御を行なう。
【００８１】
高周波定電流発生回路１５４は、所定周波数の高周波定電流を発生し、電流印加用電極１５Ａ，Ｂに接している測定者２０に高周波定電流を流す。
【００８２】
電圧測定用電極１５Ｃ，Ｄの間には、電流印加用電極１５Ａ，Ｂから測定者２０に高周波定電流が流されることにより、電位差が生じる。体重測定部１５１は、ロードセルで構成され、測定者２０の体重を測定する。
【００８３】
入力切替回路１５２は、電圧測定用電極１５Ｃ，Ｄより得られる電位差に基づく電圧情報および体重計測部１５１より得られる体重情報のいずれか一方に入力を切替える。Ａ／Ｄ変換回路１５３は、入力切替回路１５２より得られる電圧情報および体重情報をアナログ信号からデジタル信号に変換する。
【００８４】
電源部１７０は、操作部１４に含まれるＯＮスイッチ１４１が操作されることにより、マイコン１１０や体重体組成計１０の各部に電力を供給する。計時部１６０は、日付および時刻を計測する。
【００８５】
メモリ１２０は、測定結果などの情報を記憶する。なお、本実施の形態において、メモリ１２０は、たとえば、ＥＥＰＲＯＭ（Electrically Erasable Programmable Read-Only Memory）を含んでおり、後述する測定者の個人データや、測定日や測定時刻や、体組成や体重などの測定結果は、このＥＥＰＲＯＭに格納される。
【００８６】
【表１】
2008125729.tif 000003
【００８７】
表１は、メモリ１２０に記憶される個人データの記憶状態を示す表である。表１を参照して、個人データとしては、測定者２０の個人番号ごとに、お知らせ機能の有効または無効、身長、性別、誕生年、誕生月、および、誕生日が、測定者２０によって予め設定されて、メモリ１２０に記憶される。
【００８８】
たとえば、個人番号１の測定者の、お知らせ機能は「有効（ｏｎ）」、身長は「１６９．７」ｃｍ、性別は「男」、誕生年は「１９７０」年、誕生月は「１１」月、誕生日は「２２」日であることがメモリ１２０に記憶されている。
【００８９】
同様に、個人番号２，３の測定者それぞれの、お知らせ機能は「無効（ｏｆｆ）」，「有効（ｏｎ）」、身長は「１４０．２」ｃｍ，「１６０．５」ｃｍ、性別は「女」，「女」、誕生年は「１９９５」年，「１９６９」年、誕生月は「８」月，「３」月、誕生日は「４」日，「１０」日であることがメモリ１２０に記憶されている。なお、個人番号４の測定者に関する個人データはメモリ１２０に記憶されていない。
【００９０】
ここで、個人データは、本実施の形態において、測定者２０の体組成を計算する際に必要となる少なくとも測定者２０の身長および体重の身体情報を含み、より好ましくは、身長および体重に加え、年齢および性別を含む。本実施の形態においては、個人データには、身長、体重、性別および年齢を計算するための誕生年月日が含まれる。
【００９１】
体重体組成計１０では、身体特定情報のうち体重については、体重計測部１５１によって計測することができる。したがって、体組成計測のために、本実施の形態では、測定者２０により予め他の３つの個人データ（身長，性別，年齢を計算するための誕生年月日）が操作部１４を用いて入力される。
【００９２】
なお、体重体組成計１０に、体重計測部１５１を設けない構成であってもよく、この場合、予め、上記４つの身体情報（身長，体重，年齢，性別）が操作部１４により入力されるものとする。
【００９３】
マイコン１１０は、体組成算出部１１１と、測定結果記憶制御部１１２と、測定頻度表示制御部１１３と、お知らせ表示制御部１１４とを含む。
【００９４】
なお、体組成算出部１１１、測定結果記憶制御部１１２、測定頻度表示制御部１１３、および、お知らせ表示制御部１１４は、図６、図７および図１０でそれぞれ説明するメイン処理、測定処理およびお知らせ処理がマイコン１１０によって実行されることにより、マイコン１１０に構成されるものであってもよいし、マイコン１１０の内部にハードウェア回路として構成されるものであってもよい。
【００９５】
体組成算出部１１１は、Ａ／Ｄ変換回路１５３から得られた電圧情報および体重情報に基づいて、測定者の体重および体組成の生体情報を算出する。
【００９６】
具体的には、体組成算出部１１１は、まず、体重情報に基づいて体重を算出する。次に、体組成算出部１１１は、高周波定電流発生回路１５４を制御して、電流印加用電極１５Ａ，Ｂから測定者２０に高周波定電流を流し、入力切替回路１５２を制御して、Ａ／Ｄ変換回路１５３への入力を電圧測定用電極１５Ｃ，Ｄからの電位差に基づく電圧情報に切替えて、高周波定電流発生回路１５４で発生された高周波定電流の電流値と、Ａ／Ｄ変換回路１５３から得られる２極間の電位差に基づく電圧情報とに基づいて、インピーダンスを計測する。
【００９７】
そして、体組成算出部１１１は、予め設定された身長、年齢、性別、算出された体重、および、計測されたインピーダンスに基づいて、測定者２０の体組成を計算する。体組成とは、体脂肪率、ＢＭＩ、内臓脂肪レベル、基礎代謝、骨格筋率、および、体年齢などを含む生体情報である。これらの体組成は、公知の手法を用いて算出することができる。
【００９８】
測定結果記憶制御部１１２は、測定時刻と、体組成算出部１１１によって算出された生体情報と、当該生体情報が算出された測定日とを対応付けてメモリ１２０に記憶させる。本実施の形態において、測定時刻は、体重体組成計１０の電源がＯＮ状態にされた時刻である。この測定時刻は、後述する「お知らせ」機能の基準時刻となる。
【００９９】
【表２】
2008125729.tif 000004
【０１００】
表２は、メモリ１２０に記憶される生体情報の記憶状態を示す表である。表２を参照して、測定結果記憶制御部１１２によって、今回の測定結果を記憶する記憶領域である、日数が「０」に対応するメモリ１２０の記憶領域に、測定日が「１１／２２」、測定時刻が「２１：３４」、体重が「５２．３」ｋｇ、体脂肪率が「２３．０」％、ＢＭＩが「２０．３」、内臓脂肪レベルが「３」、基礎代謝が「１２５４」ｋｃａｌ、骨格筋率が「３０．９」％、体年齢が「２９」才であることが記憶される。
【０１０１】
ここで、日数の欄は、測定結果が何日前のものであるかを示す。つまり、日数が「０」の測定結果は、０日前つまり本日の測定結果を示し、日数が「９７」の測定結果は９７日前の測定結果を示す。なお、日数の欄および測定日の欄のいずれか一方を設けるようにしてもよい。測定日の欄のみを設けた場合には、測定日の欄のデータから測定日を特定することができ、日数の欄のみを設けた場合には、日数の欄のデータから測定日を特定することができる。
【０１０２】
また、本日の測定結果が本日最初に記憶されるときには、日数が「０」に対応する記憶領域の生体情報は、日数が「１」に対応する記憶領域に繰下げて記憶される。同様に、日数が「１」から「９６」までに対応する記憶領域の生体情報は、それぞれ、日数が「２」から「９７」までに対応する記憶領域に繰下げて記憶される。
【０１０３】
なお、日数が「９７」に対応する記憶領域の測定時刻および生体情報は、メモリ１２０から削除される。そして、本日の測定結果が複数回記憶されるときは、日数が「０」に対応する記憶領域に、後の測定結果が上書きされる。
【０１０４】
なお、ここでは、測定日を示す情報として、何日前であるかを示すデータを記憶するようにしたが、これに限定されず、測定日自体を示すデータを記憶するようにしてもよい。
【０１０５】
測定頻度表示制御部１１３は、本日を含めた１週間に含まれる７日のうちのメモリ１２０に記憶された測定日の頻度を特定可能なリングマーク１３１を表示するよう表示部１３を制御する。
【０１０６】
なお、リングマーク１３１は、測定時の直立姿勢の測定者２０の目の位置から視認可能なように表示される。これにより、測定者２０が表示部１３に目を近付けなくても、リングマーク１３１を判別することができるので、測定に対するモチベーションをさらに高めることができる。
【０１０７】
図５は、本実施の形態における体重体組成計１０の表示部１３に表示されるリングマーク１３１を説明するための図である。図５（ａ）を参照して、具体的には、測定頻度表示制御部１１３は、本日から６日前までの７日間の期間のうちの測定日の日数分、円周上に並べられたブロック１３３〜１３９を点灯させる。
【０１０８】
たとえば、表２で示したように、本日を含めた１週間に、測定日が本日を含めて３日含まれる場合、リングマーク１３１Ａのうちの、３日のうちの本日を除く２日分のブロック１３４〜１３５が点灯される。３日のうちの本日分に対応するブロック１３３は、今から本日分を測定することを示すために、点滅される。
【０１０９】
また、個人番号別カラー１３２は、前述したようにセグメント型ＬＣＤである表示部１３のリングマーク１３１のブロック１３３〜１３９が並べられた円周の略中心の裏側に設置された３色ＬＥＤの発光する光が透過することによって、色が表示される部分である。
【０１１０】
３色ＬＥＤは、リングマーク１３１の示す測定者の個人番号に応じて異なる色で発光するように制御される。たとえば、個人番号１〜４に対して、それぞれ、緑色、水色、オレンジ色、ピンク色が割当てられる。この色の割当ては、色覚障害を持つ人でも見分け易い割当てである。
【０１１１】
なお、所定の期間に含まれる日のうちの測定日の頻度を特定可能な表示であれば、図５（ａ）のような表示に限定されず、他の表示であってもよい。
【０１１２】
具体的には、図５（ｂ）を参照して、測定頻度表示制御部１１３は、本日から６日前までの期間のうちの測定日に対応する円周上に並べられたブロックを点灯させるようにしてもよい。
【０１１３】
たとえば、表２で示したように、本日から６日前までの期間で、測定日が本日、２日前および４日前である場合、リングマーク１３１Ｂのうちの、２日前および４日前に対応するブロック１３５，１３７が点灯される。本日分に対応するブロック１３３は、今から本日分を測定することを示すために、点滅される。
【０１１４】
また、図５（ｃ）を参照して、円周上に並べられたブロック１３３〜１３９がそれぞれ月曜日から日曜日までに割当てられ、測定頻度表示制御部１１３は、本日から６日前までの期間のうちの測定日に対応する曜日に割当てられたブロックを点灯させるようにしてもよい。
【０１１５】
たとえば、表２で示したように、本日から６日前までの期間で、測定日が本日（火曜日）、２日前（木曜日）、４日前（土曜日）である場合、リングマーク１３１Ｃのうちの、木曜日に割当てられたブロック１３６、および、土曜日に割当てられたブロック１３８が点灯される。本日分に対応する火曜日に割当てられたブロック１３４は、今から本日分を測定することを示すために、点滅される。
【０１１６】
図４に戻って、お知らせ表示制御部１１４は、電源がオフになっている状態で、測定者２０が生体情報を測定する測定時間帯に現在時刻が含まれることを、測定者２０に個人番号別カラー１３２で報知するよう表示部１３を制御する、つまり、「お知らせ」を行なう。測定時間帯は、本実施の形態においては、本日より前の前回の測定時刻の前後３０分の時間帯である。
【０１１７】
このように、個人番号別カラー１３２により測定者によって異なる色で報知され、数ｍ離れた位置からでも、個人番号別カラー１３２を視認することができるので、どの測定者に対して測定が促がされているかを測定者に分かり易く知らせることができる。
【０１１８】
つまり、測定時間帯は、１日前に生体情報を測定していれば、１日前の測定時刻の前後３０分の時間帯であり、１日前に生体情報を測定していなければ、１日前より前の直近の日の測定時刻の前後３０分の時間帯である。また、お知らせ表示制御部１１４は、３日間測定が行なわれなければ、４日目以降は、「お知らせ」を行なわない。
【０１１９】
ここで、測定者２０のインピーダンスは、１日の中でも、さまざまな生理的要因や環境要因により変化するため、測定時の状況によって体組成が変化する。また、本実施の形態における体重体組成計１０は、下肢のみで体組成を測定するので、上肢および下肢で体組成を測定する場合と比較して、日内変動が大きくなる。このような日内変動の影響をできるだけ少なくして、日々の変化のトレンドを見るためには、体組成を、毎日、決まった時刻に測定することが望ましい。
【０１２０】
本実施の形態においては、お知らせ表示制御部１１４が、前回の測定時刻の前後３０分の時間帯に現在時刻が含まれることが測定者２０に報知されるので、測定者２０は、毎日、ほぼ同じ時刻に生体情報を測定でき、変化のトレンドを見るのに適した生体情報を測定することができる。
【０１２１】
なお、本実施形態においては、お知らせ表示制御部１１４は、表示で報知するが、これに限定されず、音で報知するようにしてもよいし、振動などの動きで報知するようにしてもよい。
【０１２２】
また、お知らせ表示制御部１１４は、個人番号別カラー１３２での報知とともに、前述したようなリングマーク１３１での測定頻度の表示を行なうようにしてもよい。これにより、測定を促がすだけでなく測定頻度も測定者２０に知らせることができるので、生体情報の測定をさらに強く促がすことができる。
【０１２３】
図６は、本実施の形態における体重体組成計１０によって実行されるメイン処理の流れを示すフローチャートである。図６を参照して、まず、ステップＳ７０で、体重体組成計１０のマイコン１１０は、お知らせ処理を実行する。お知らせ処理については、後述する図１０で説明する。
【０１２４】
次に、ステップＳ１１で、マイコン１１０は、測定者２０によってＯＮスイッチ１４１が操作されて、電源がオン状態にされたか否かを判断する。電源がオン状態にされていないと判断した場合（ステップＳ１１でＮＯの場合）、マイコン１１０は、実行する処理をステップＳ７０の処理に戻す。
【０１２５】
一方、電源がオン状態にされたと判断した場合（ステップＳ１１でＹＥＳの場合）、ステップＳ１２で、マイコン１１０は、本日の日付および現在時刻をそれぞれ測定日および測定時刻としてマイコン１１０の内部メモリに仮記憶させる。
【０１２６】
次いで、ステップＳ２１で、マイコン１１０は、表示部１３の２段目に前回の測定者の個人番号、８段目に「測定履歴」、前回の測定者の測定頻度を示すリングマーク１３１、３段目に「体重」、４段目のセグメントに「０．０」、および、４段目に「ｋｇ」を表示するよう表示部１３を制御する。また、マイコン１１０は、８段目の個人番号別カラー１３２を前回の測定者に対応する色で表示する。
【０１２７】
次のステップＳ２２で、マイコン１１０は、操作部１４が測定者２０によって操作されることによって、個人データを登録するための登録操作が行なわれたか否かを判断する。登録操作が行なわれたと判断した場合（ステップＳ２２でＹＥＳの場合）、ステップＳ２３で、マイコン１１０は、個人データ登録変更削除処理を実行する。
【０１２８】
個人データ登録変更削除処理は、各測定者が、お知らせ機能の有効または無効、身長、性別、生年月日の個人データを、予め設定して登録したり、変更したり、削除したりするための処理である。
【０１２９】
登録操作が行なわれていないと判断した場合（ステップＳ２２でＮＯの場合）、または、ステップＳ２３の後、ステップＳ２４で、マイコン１１０は、操作部１４が測定者２０によって操作されることによって、個人番号切替操作が行なわれたか否かを判断する。
【０１３０】
個人番号切替操作が行なわれたと判断した場合（ステップＳ２４でＹＥＳの場合）、ステップＳ２５で、マイコン１１０は、表示部１３の２段目に、切替えられた測定者の個人番号、８段目に「測定履歴」、切替えられた測定者の測定頻度を示すリングマーク１３１、３段目に「体重」、４段目のセグメントに「０．０」、および、４段目に「ｋｇ」を表示するよう表示部１３を制御する。また、マイコン１１０は、８段目の個人番号別カラー１３２を、切替えられた測定者に対応する色で表示する。
【０１３１】
個人番号切替操作が行なわれていないと判断した場合（ステップＳ２４でＮＯの場合）、または、ステップＳ２５の後、ステップＳ２６で、マイコン１１０は、体重計測部１５１から入力切替回路１５２およびＡ／Ｄ変換回路１５３を介して体重情報が受信されているか否かを判断することによって、測定が開始されたか否かを判断する。
【０１３２】
測定が開始されていないと判断した場合（ステップＳ２６でＮＯの場合）、ステップＳ２７で、マイコン１１０は、ＯＮスイッチ１４１の操作、個人データ登録変更削除処理における操作、または、個人番号切替操作のうち、直近の操作が行なわれてから１分が経過したか否かを判断する。
【０１３３】
直近の操作から１分経過していないと判断した場合（ステップＳ２７でＮＯの場合）、マイコン１１０は、実行する処理をステップＳ２２の処理に戻す。一方、１分経過したと判断した場合（ステップＳ２７でＹＥＳの場合）、マイコン１１０は、実行する処理をステップＳ６１の処理に進める。
【０１３４】
一方、測定が開始されたと判断した場合（ステップＳ２６でＹＥＳの場合）、ステップＳ４０で、マイコン１１０は、測定処理を実行する。
【０１３５】
図７は、本実施の形態における体重体組成計１０によって実行される測定処理の流れを示すフローチャートである。図７を参照して、まず、ステップＳ４１で、マイコン１１０は、受信されている体重情報に基づいて、体重を測定する。
【０１３６】
そして、ステップＳ４２で、マイコン１１０は、表示部１３の２段目に測定者２０の個人番号、３段目に「体重」、４段目のセグメントに、ステップＳ４１での測定の結果、確定した体重の値、および、その右側に「ｋｇ」を、数秒間、表示するよう表示部１３を制御する。
【０１３７】
その後、ステップＳ４３で、マイコン１１０は、測定中画面を表示するよう表示部１３を制御する。
【０１３８】
図８は、本実施の形態において体重体組成計１０の表示部１３に表示される測定中画面を示す表示画面図である。図８を参照して、測定中画面には、表示部１３の２段目に測定者２０の個人番号、ならびに、３段目に「基礎代謝」および「体年齢」、ならびに、５段目に「体脂肪率」、「内臓脂肪レベル」および「骨格筋率」が表示される。
【０１３９】
また、測定中画面では、リングマーク１３１のすべてのブロック１３３〜１３９が表示され、それぞれのブロック１３３〜１３９が順番に非表示にされ、非表示にされたブロックがすぐに再表示される。これによって、リングマーク１３１が回転しているような態様で表示され、体組成の測定中であることが測定者２０に報知される。
【０１４０】
図７に戻って、ステップＳ４４で、マイコン１１０は、電圧測定用電極１５Ｃ，Ｄから入力切替回路１５２およびＡ／Ｄ変換回路を介して受信された電圧情報に基づいて、測定者２０のインピーダンスを測定する。
【０１４１】
そして、ステップＳ４５で、マイコン１１０は、選択されている個人番号に対応する個人データのうち、身長、性別、および、誕生年月日をメモリ１２０から読出す。
【０１４２】
次いで、ステップＳ４６で、マイコン１１０は、ステップＳ４５で読出された身長，年齢，性別、ステップＳ４１で測定された体重、および、ステップＳ４４で測定されたインピーダンスに基づいて、測定者２０の体組成を算出する。
【０１４３】
そして、ステップＳ４７で、マイコン１１０は、メイン処理のステップＳ１２で仮記憶された測定日および測定時刻、ならびに、ステップＳ４１で測定された体重、ならびに、ステップＳ４６で算出された体組成のデータを、表２で説明した日数が「０」に対応するメモリ１２０の記憶領域に記憶させる。
【０１４４】
なお、前述したように、本日の最初に測定結果が記憶されるときには、日数が「０」から「９６」までに対応する記憶領域のデータは、それぞれ、日数が「１」から「９７」までに対応する記憶領域に繰下げて記憶される。
【０１４５】
次のステップＳ５１で、マイコン１１０は、体組成表示画面Ａを表示するよう表示部１３を制御する。
【０１４６】
図９は、本実施の形態において体重体組成計１０の表示部１３に表示される体組成表示画面を示す表示画面図である。
【０１４７】
図９（ａ）を参照して、体組成表示画面Ａには、２段目に測定者２０の個人番号である「１」、３段目に「体重」、４段目のセグメントに、測定結果の体重の値である「５２．３」、その右側に体重の単位である「ｋｇ」、５段目に「体脂肪率」、６段目のセグメントに、算出結果の体脂肪率の値である「２３．０」、その右側に体脂肪率の単位である「％」、７段目に、体脂肪率の判定レベルが１２段階のうちの４段階であり「標準」レベルであることを示すピクトグラム、８段目に「体年齢」、その右側のセグメントに、算出結果の体年齢の値である「２９」、その右側に体年齢の単位である「才」が表示される。
【０１４８】
図７に戻って、ステップＳ５２で、マイコン１１０は、操作部１４が測定者２０によって操作されることによって、表示切替操作が行なわれたか否かを判断する。表示切替操作が行なわれたと判断した場合（ステップＳ５２でＹＥＳの場合）、ステップＳ５３で、マイコン１１０は、体組成表示画面を切替表示するよう表示部１３を制御する。
【０１４９】
つまり、体組成表示画面Ａが表示されているときに表示切替操作が行なわれた場合には、体組成表示画面Ｂに切替表示される。同様に、体組成表示画面Ｂ，Ｃが表示されているときに表示切替操作が行なわれた場合には、それぞれ、体組成表示画面Ｃ，Ａに切替表示される。
【０１５０】
図９（ｂ）を参照して、体組成表示画面Ｂには、２段目に測定者２０の個人番号である「１」、３段目に「ＢＭＩ」、４段目のセグメントに、算出結果のＢＭＩの値である「２０．３」、５段目に「内臓脂肪レベル」、６段目のセグメントに、算出結果の内臓脂肪レベルの値である「３」、７段目に、内臓脂肪レベルの判定レベルが９段階のうちの１段階であり「標準」レベルであることを示すピクトグラム、８段目に「体年齢」、その右側のセグメントに、算出結果の体年齢の値である「２９」、その右側に体年齢の単位である「才」が表示される。
【０１５１】
また、図９（ｃ）を参照して、体組成表示画面Ｃには、２段目に測定者２０の個人番号である「１」、３段目に「基礎代謝」、４段目のセグメントに、算出結果の基礎代謝の値である「１２５４」、その右側に基礎代謝の単位である「ｋｃａｌ」、５段目に「骨格筋率」、６段目のセグメントに、算出結果の骨格筋率の値である「３０．９」、その右側に骨格筋率の単位である「％」、７段目に、骨格筋率の判定レベルが１２段階のうちの１０段階であり「高い」レベルであることを示すピクトグラム、８段目に「体年齢」、その右側のセグメントに、算出結果の体年齢の値である「２９」、その右側に体年齢の単位である「才」が表示される。
【０１５２】
図７に戻って、表示切替操作が行なわれていないと判断した場合（ステップＳ５２でＮＯの場合）、または、ステップＳ５３の後、ステップＳ５４で、マイコン１１０は、最後に体組成表示画面が表示されてから３分経過したか否かを判断する。３分経過していないと判断した場合（ステップＳ５４でＮＯの場合）、マイコン１１０は、実行する処理をステップＳ５２の処理に戻す。
【０１５３】
一方、３分経過したと判断した場合（ステップＳ５４でＹＥＳの場合）、マイコン１１０は、この測定処理を終了して、実行する処理を呼出元のメイン処理に戻す。
【０１５４】
図６に戻って、ステップＳ４０での測定処理の後、または、直近の操作から１分経過したと判断した場合（ステップＳ２７でＹＥＳの場合）、ステップＳ６１で、マイコン１１０は、電源をオフ状態にするよう電源部１７０を制御する。その後、マイコン１１０は、実行する処理をステップＳ７０の処理に戻す。前述したように、ステップＳ７０では、マイコン１１０は、お知らせ処理を実行する。
【０１５５】
図１０は、本実施の形態における体重体組成計１０によって実行されるお知らせ処理の流れを示すフローチャートである。図１０を参照して、まず、ステップＳ７１で、マイコン１１０は、変数ｉに１を代入する。そして、ステップＳ７２で、変数ｉが登録ユーザ数より大きくなったか否かを判断する。たとえば、表１のように個人データがメモリ１２０に記憶されているときは、登録ユーザ数は「３」である。
【０１５６】
変数ｉが登録ユーザ数より大きくなったと判断した場合（ステップＳ７２でＹＥＳの場合）、マイコン１１０は、このお知らせ処理を終了し、実行する処理を呼出元のメイン処理に戻す。つまり、すべての登録されている測定者についての処理が終了した場合に、実行する処理がメイン処理に戻される。
【０１５７】
一方、変数ｉが登録ユーザ数より大きくなっていないと判断した場合（ステップＳ７２でＮＯの場合）、ステップＳ７３で、以下の処理を個人番号ｉの測定者について実行するように設定する。
【０１５８】
ステップＳ７４では、マイコン１１０は、個人番号ｉの測定者の個人データのお知らせ機能の項目が「ｏｎ」つまり「有効」であるか否かを判断する。「お知らせ」が「有効」でない、つまり、お知らせ機能の項目が「ｏｆｆ」つまり「無効」であると判断した場合（ステップＳ７４でＮＯの場合）、マイコン１１０は、実行する処理をステップＳ８８に進める。
【０１５９】
一方、「お知らせ」が「有効」であると判断した場合（ステップＳ７４でＹＥＳの場合）、ステップＳ７５で、マイコン１１０は、個人番号ｉの測定者について「お知らせ」中であるか否かを判断する。
【０１６０】
「お知らせ」中でないと判断した場合（ステップＳ７４でＮＯの場合）、ステップＳ８１で、マイコン１１０は、個人番号ｉの測定者の前回の測定から４日経過したか否かを判断する。４日経過したと判断した場合（ステップＳ８１でＹＥＳの場合）、マイコン１１０は、実行する処理をステップＳ８８の処理に進める。
【０１６１】
一方、前回の測定から４日経過していないと判断した場合（ステップＳ８１でＮＯの場合）、ステップＳ８２で、マイコン１１０は、個人番号ｉの測定者が１日前から３日前までに測定した測定時刻がメモリ１２０に記憶されているか否かを判断する。この１日前から３日前までに測定した測定時刻のうち直近の時刻を前回測定時刻とする。
【０１６２】
たとえば、表２のように、個人番号ｉの測定者の測定結果が記憶されている場合、２日前の測定時刻が前回測定時刻としてメモリ１２０に記憶されていることになる。また、体重体組成計１０を始めて使用した場合、または、体重体組成計１０のメモリ１２０を初期化した場合は、前回測定時刻はメモリ１２０に記憶されていない。
【０１６３】
前回測定時刻が記憶されていないと判断した場合（ステップＳ８２でＮＯの場合）、マイコン１１０は、実行する処理をステップＳ８８の処理に進める。一方、前回測定時刻が記憶されていると判断した場合（ステップＳ８２でＹＥＳの場合）、ステップＳ８３で、マイコン１１０は、前回測定時刻から今回の測定時刻を算出する。具体的には、前回の測定日と測定時刻との組合せにそれぞれ２４時間、４８時間および７２時間を足して、３つの測定日と測定時刻との組合せを算出する。
【０１６４】
次に、ステップＳ８４で、マイコン１１０は、本日の日付と現在時刻との組合せがステップＳ８３で算出された３つの測定日と測定時刻との組合せのいずれかの３０分前であるか否かを判断する。
【０１６５】
なお、本実施の形態においては、２４時間ごとに「お知らせ」するために、本日の日付と現在時刻との組合せが、前回の測定日と測定時刻との組合せの２４時間、４８時間および７２時間後の３０分前であるか否かを判断するようにした。
【０１６６】
しかし、これに限定されず、１２時間ごとに「お知らせ」する場合は、本日の日付と現在時刻との組合せが、前回の測定日と測定時刻との組合せの１２時間、２４時間、３６時間、４８時間、６０時間および７２時間後の３０分前であるか否かを判断するようにしてもよい。さらに、１２時間ごとでなく、８時間ごとなど他の間隔であってもよい。
【０１６７】
また、２４時間ごとに「お知らせ」する場合には、本日の日付が前回の測定日から４日経過しておらず、かつ、現在時刻が前回の測定時刻の３０分前であるか否かを判断するようにしてもよい。
【０１６８】
本日の日付と現在時刻との組合せが、いずれの測定日と測定時刻との組合せの３０分前でもないと判断した場合（ステップＳ８４でＮＯの場合）、マイコン１１０は、実行する処理をステップＳ８８の処理に進める。
【０１６９】
一方、本日の日付と現在時刻との組合せが、いずれかの測定日と測定時刻との組合せの３０分前であると判断した場合（ステップＳ８４でＹＥＳの場合）、ステップＳ８５で、マイコン１１０は、個人番号ｉの測定者に対応する色で個人番号別カラー１３２の点滅表示、つまり、「お知らせ」を開始するよう、表示部１３の裏側に設置された３色ＬＥＤを制御する。ここでは、５秒ごとに点灯表示し１秒以内に消灯する態様で点滅表示させる。その後、マイコン１１０は、実行する処理をステップＳ８８に進める。
【０１７０】
個人番号ｉの測定者について「お知らせ」中であると判断した場合（ステップＳ７４でＹＥＳの場合）、ステップＳ８６で、マイコン１１０は、「お知らせ」開始から１時間経過したか否かを判断する。１時間経過していないと判断した場合（ステップＳ８６でＮＯの場合）、マイコン１１０は、実行する処理をステップＳ８８の処理に進める。
【０１７１】
一方、「お知らせ」開始から１時間経過したと判断した場合（ステップＳ８６でＹＥＳの場合）、ステップＳ８７で、マイコン１１０は、個人番号ｉの測定者に対応する色での個人番号別カラー１３２の点滅表示、つまり、「お知らせ」を終了するよう、３色ＬＥＤを制御する。その後、マイコン１１０は、実行する処理をステップＳ８８の処理に進める。
【０１７２】
ステップＳ８８では、マイコン１１０は、変数ｉを１加算する。その後、マイコン１１０は、実行する処理をステップＳ７２の処理に戻す。
【０１７３】
図１１は、本実施の形態における体重体組成計１０によるお知らせ機能のタイミングチャートである。図１１を参照して、まず、最後の測定日から１日目に、最後の測定日の測定時刻と同時刻（つまり、２４時間後）の前後３０分間、個人番号ｉの測定者に対応する色での個人番号別カラー１３２の点滅表示、つまり、「お知らせ」が行なわれる。
【０１７４】
つまり、最後の測定日の翌日の、最後の測定日の測定時刻と同時刻の３０分前（換言すれば、最後の測定日の測定時刻の２３．５時間後）になったときに、「お知らせ」が開始される。そして、「お知らせ」開始後１時間経過したとき（換言すれば、最後の測定日の測定時刻の２４．５時間後になったとき）に、「お知らせ」が終了される。
【０１７５】
なお、本実施の形態においては、前述したように、個人番号別カラー１３２が、５秒ごとに点灯表示し１秒以内に消灯する態様で点滅表示される。
【０１７６】
複数の測定者のお知らせ機能が有効に設定されている場合は、最初の個人番号の測定者に対応する色で個人番号別カラー１３２が点灯表示され、その色が１秒以内に消灯され、最初の個人番号の測定者に対応する色で個人番号別カラー１３２が点灯表示された１秒後に、次の個人番号の測定者に対応する色で個人番号別カラー１３２が点灯表示され、その色が１秒以内に消灯され、これが５秒ごとに繰返される。
【０１７７】
最後の測定日から２日目および３日目についても同様に、それぞれ、最後の測定日の測定時刻と同時刻（つまり４８時間後および７２時間後）の前後３０分間、個人番号ｉの測定者に対応する色での個人番号別カラー１３２の点滅表示、つまり、「お知らせ」が行なわれる。最後の測定日から４日目以降には、「お知らせ」は行なわれない。
【０１７８】
［第１の変形例］
図１２は、本実施の形態の第１の変形例における体重体組成計１０によるお知らせ機能のタイミングチャートである。前述の実施の形態においては、最後の測定日から１日目から３日目までの最後の測定日の測定時刻と同時刻（つまり２４時間後、４８時間後および７２時間後）の前後３０分、「お知らせ」を行なうようにした。
【０１７９】
しかし、これに限定されず、図１２を参照して、最後の測定日の測定時刻と同時刻の前後１時間、「お知らせ」が行なわれるようにしてもよい。また、３０分や１時間と異なる時間であってもよい。
【０１８０】
また、前述の実施の形態のおいては、個人番号別カラー１３２を５秒ごとに一定の間隔で点滅させるようにした。しかし、これに限定されず、最後の測定日の測定時刻と同時刻の前後所定時間において、当該同時刻からの時間に応じて点滅間隔を異ならせるようにしてもよい。これにより、最後の測定日の測定時刻と同時刻からの時間を測定者に知らせることができる。
【０１８１】
たとえば、最後の測定日の測定時刻と同時刻の前後１時間「お知らせ」を行なうようにする場合、測定時刻の１時間前から４５分前までは、１０秒ごとに、４５分前から３０分前までは、８秒ごとに、３０分前から１５分前までは、５秒ごとに、１５分前から１５分後までは、２秒ごとに、１５分後から３０分後までは、５秒ごとに、３０分後から４５分後までは、８秒ごとに、４５分後から６０分後までは、１０秒ごとに点滅させるようにする。
【０１８２】
また、最後の測定日の測定時刻と同時刻になったときにブザーを鳴らすようにしてもよい。これにより、最後の測定日の測定時刻と同時刻になったことを測定者２０に明確に知らせることができる。
【０１８３】
［第２の変形例］
図１３は、本実施の形態の第２の変形例における体重体組成計１０によるお知らせ機能のタイミングチャートである。前述の実施の形態においては、最後の測定日から１日目から３日目まで、個人番号別カラー１３２を５秒後との一定の間隔で点滅させるようにした。
【０１８４】
しかし、これに限定されず、図１３を参照して、最後の測定日から日が経過するほど点滅間隔を短くするようにしてもよい。これにより、最後の測定日から日が経過するほど強く、測定者２０に測定を促がすことができる。
【０１８５】
たとえば、最後の測定日から１日目は７秒間隔で、２日目は５秒間隔で、３日目は３秒間隔で、個人番号別カラー１３２を点滅させる。
【０１８６】
［第３の変形例］
図１４は、本実施の形態の第３の変形例における体重体組成計１０によるお知らせ機能のタイミングチャートである。前述の実施の形態においては、最後の測定日から１日目から３日目までの最後の測定日の測定時刻と同時刻（つまり２４時間後、４８時間後および７２時間後）の前後３０分、「お知らせ」を行なうようにした。
【０１８７】
しかし、これに限定されず、図１４を参照して、最後の測定日の測定時刻をＸ時Ｙ分とした場合、最後の測定日から１日目から３日目までのＸ時０分からその１時間後まで「お知らせ」を行なうようにしてもよい。
【０１８８】
最後の測定日の測定時刻が、たとえば、２３時４５分の場合、前述の実施の形態においては、当日の２３時１５分から翌日の０時１５分まで、「お知らせ」が行なわれることとなる。このため、測定者が翌日の０時０分から０時１５分までに生体情報を測定した場合には、「お知らせ」に促がされて測定したにも関わらず、前日の分が測定されていないこととなってしまう。
【０１８９】
さらに、０時１０分に生体情報を測定した場合、当日の２３時４０分から翌日の０時４０分まで、「お知らせ」が行なわれることとなる。ここで、測定者が当日の２３時４０分から２３時５９分までに生体情報を測定した場合には、「お知らせ」に促がされて測定したにも関わらず、当日の０時１０分に測定された測定結果が当日の２３時４０分に測定された測定結果で上書きされてしまう。
【０１９０】
上述したようにすれば、たとえば、最後の測定日の測定時刻が、２３時台の場合、翌日の２３時０分からその１時間後まで「お知らせ」が行なわれる。また、０時台の場合、翌日の０時０分からその１時間後まで「お知らせ」が行なわれる。
【０１９１】
このように、日を跨って「お知らせ」が行なわれないようにすることができる。このため、「お知らせ」に従って生体情報を測定しているにも関わらず、測定されない日が生じたり、同日に２度測定されたりすることを防止することができる。
【０１９２】
［その他の変形例］
前述の実施の形態においては、体重体組成計の発明として説明したが、これに限定されず、体重体組成計から体重を計測する機能を除いたもの、つまり、体組成計に本発明を適用してもよいし、体重対組成計から体組成を計測する機能を除いたもの、つまり、体重計に本発明を適用してもよい。
【０１９３】
また、前述の実施の形態においては、下肢のみに電流を流して体組成を計測する体重体組成計について説明したが、これに限定されず、上肢のみに電流を流して体組成を計測する体組成計に本発明を適用してもよいし、上肢および下肢の両方に電流を流して体組成を計測する体組成計に本発明を適用してもよいし、上肢および下肢以外の部位に電流を流して体組成を計測する体組成計に本発明を適用してもよい。
【０１９４】
また、体組成や体重に限定されず、血圧や体温や血糖値や血中コレステロールなどの生体情報を、定期的に（たとえば、毎日）測定する生体情報測定装置に本発明を適用してもよい。
【０１９５】
また、前述の実施の形態においては、前回の測定時刻を基準として「お知らせ」をするようにしたが、これに限定されず、測定者によって予め設定された測定希望時刻を基準として「お知らせ」をするようにしてもよい。
【０１９６】
また、前述の実施の形態においては、３色ＬＥＤを用いた。しかし、これに限らず、ハロゲンランプや白熱電球等の他の発光体を用いるようにしてもよい。
【０１９７】
また、前述の実施の形態においては、３色ＬＥＤが発生する光の複数の色を、それぞれ、複数の測定者に対応させるようにした。しかし、これに限定されず、複数の単色のＬＥＤがそれぞれ発生する光の複数の色を、それぞれ、複数の測定者に対応させるようにしてもよい。また、カラーＬＣＤで表示する複数の色を、それぞれ、複数の測定者に対応させるようにしてもよい。
【０１９８】
また、前述の実施の形態においては、日ごとにリングマーク１３１の１つのブロックを割当てるようにした。しかし、これに限定されず、週ごとにリングマーク１３１の１つのブロックを割当てるようにしてもよい。たとえば、１週間に３日以上測定した週に対応するブロックを点灯表示するようにしてもよい。
【０１９９】
また、前述の実施の形態においては、リングマーク１３１に含まれるブロック１３３〜１３９は、円周上に並べられるようにしたが、これに限定されず、直線上に並べられるようにしてもよいし、多角形の辺上に並べられるようにしてもよい。
【０２００】
また、前述の実施の形態においては、体重体組成計１０の発明として説明した。しかし、これに限定されず、体重体組成計１０で図６、図７および図１０の処理を実行する生体情報測定方法の発明として捉えることができる。
【０２０１】
また、体重体組成形１０で図６、図７および図１０の処理を実行する生体情報測定プログラムおよび生体情報測定プログラムを記録した記録媒体の発明として捉えることができる。
【０２０２】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【０２０３】
【図１】本発明の実施の形態における体重体組成計を示す外観図である。
【図２】本実施の形態における体重体組成計を用いて、測定者が体組成および体重を測定する際の測定状態を示す図である。
【図３】本実施の形態における体重体組成計の表示部の表示パターン図である。
【図４】本実施の形態における体重体組成計の構成を示すブロック図である。
【図５】本実施の形態における体重体組成計の表示部に表示されるリングマークを説明するための図である。
【図６】本実施の形態における体重体組成計によって実行されるメイン処理の流れを示すフローチャートである。
【図７】本実施の形態における体重体組成計によって実行される測定処理の流れを示すフローチャートである。
【図８】本実施の形態において体重体組成計の表示部に表示される測定中画面を示す表示画面図である。
【図９】本実施の形態において体重体組成計の表示部に表示される体組成表示画面を示す表示画面図である。
【図１０】本実施の形態における体重体組成計によって実行されるお知らせ処理の流れを示すフローチャートである。
【図１１】本実施の形態における体重体組成計によるお知らせ機能のタイミングチャートである。
【図１２】本実施の形態の第１の変形例における体重体組成計によるお知らせ機能のタイミングチャートである。
【図１３】本実施の形態の第２の変形例における体重体組成計によるお知らせ機能のタイミングチャートである。
【図１４】本実施の形態の第３の変形例における体重体組成計によるお知らせ機能のタイミングチャートである。
【符号の説明】
【０２０４】
１０  体重体組成計、１３  表示部、１４  操作部、１５Ａ，Ｂ  電流印加用電極、１５Ｃ，Ｄ  電圧測定用電極、１１０  マイコン、１１１  体組成算出部、１１２  測定結果記憶制御部、１１３  測定頻度表示制御部、１１４  お知らせ表示制御部、１２０  メモリ、１３１，１３１Ａ〜Ｃ  リングマーク、１３２  個人番号別カラー、１３３〜１３９  ブロック、１４１  ＯＮスイッチ、１４２  ＯＦＦスイッチ、１４３  メモリスイッチ、１４４  ゲストスイッチ、１５１  体重計測部、１５２  入力切替回路、１５３  Ａ／Ｄ変換回路、１５４  高周波定電流発生回路、１６０  計時部、１７０  電源部。
【図１】
2008125729.tif 000005
【図２】
2008125729.tif 000006
【図３】
2008125729.tif 000007
【図４】
2008125729.tif 000008
【図５】
2008125729.tif 000009
【図６】
2008125729.tif 000010
【図７】
2008125729.tif 000011
【図８】
2008125729.tif 000012
【図９】
2008125729.tif 000013
【図１０】
2008125729.tif 000014
【図１１】
2008125729.tif 000015
【図１２】
2008125729.tif 000016
【図１３】
2008125729.tif 000017
【図１４】
2008125729.tif 000018